【事件の表示】
　特許第３０２１２９９号「３枚引き戸の連係構造」の請求項１、２に係る特許に対する特許異議の申立てについて、次のとおり決定する。
【結　論】
　訂正を認める。
　特許第３０２１２９９号の請求項１に係る特許を維持する。
【理　由】
第１　手続の経緯
　
　本件特許第３０２１２９９号は、平成６年１１月８日に出願され、平成１２年１月１４日に特許の設定登録がなされ、平成１２年９月１８日に特許異議申立人立山アルミニウム工業株式会社より特許異議の申立がなされ、平成１３年４月１０日付けでその請求項１及び２に係る発明に対して取消理由通知がなされ、その指定期間内である平成１３年６月１９日付けで特許異議意見書とともに訂正請求書が提出された。
　
第２　訂正請求について　
　
１．訂正請求の訂正の内容
　上記訂正請求書は、明細書の特許請求の範囲の減縮、誤記の訂正及び明りょうでない記載の釈明を目的とするものであって、その訂正の内容は、次のとおりである。
（１）訂正事項１
　特許請求の範囲の減縮を目的として、
　「【請求項１】 建屋の開口部に装着した枠体内に左右の縦框と上下框とよりなる３枚の引き戸を重合状で摺動自在に納めてなる下記要件を備えたことを特徴とする３枚引き戸の連係構造。
（イ）上記３枚の引き戸の左右の縦框のうちの全閉時に対向する縦框には、相互に係合する係合片を形成してなる。
（ロ）上記３枚の引き戸のうちの中央以外の引き戸のいずれかを操作側の引き戸とし、この操作側の引き戸の左右の縦框のうちの係合片を形成しない縦框には、その見込方向に直交する側面に、指掛け部と連係部とを相互別体に形成してなる。
（ハ）上記連係部を、上記指掛け部に対して高さの異なる位置に配置すると共に、上記指掛け部よりも中央側の引き戸寄りに突出させて該引き戸に当接自在とし、この中央側の引き戸を操作側の引き戸の摺動に伴って摺動させてなる。
　【請求項２】 上記引き戸を、上記枠体を構成する上枠につり下げ支持されてなる吊り戸として形成し、上記操作側の引き戸の縦框の連係部を、上記中央側の引き戸の上端近傍位置に当接させることを特徴とする請求項１記載の３枚引き戸の連係構造。」
を、
　「【請求項１】 建屋の開口部に装着した枠体内に左右の縦框と上下框とよりなる３枚の引き戸を重合状で摺動自在に納めてなる下記要件を備えたことを特徴とする３枚引き戸の連係構造。
（イ）上記３枚の引き戸の左右の縦框のうちの全閉時に対向する縦框には、相互に係合する係合片を形成してなる。
（ロ）上記３枚の引き戸のうちの中央以外の引き戸のいずれかを操作側の引き戸とし、この操作側の引き戸の左右の縦框のうちの係合片を形成しない縦框には、その見込方向に直交する側面に、指掛け部と連係部とを相互別体に形成して取付け、上記連係部はその一部に設けた框代用片を上記縦框に形成した切欠き部に配置することによって該縦框に取付けてなる。
（ハ）上記連係部を、上記指掛け部に対して高さの異なる位置に配置すると共に、上記指掛け部よりも中央側の引き戸寄りに突出させて該引き戸に当接自在とし、この中央側の引き戸を操作側の引き戸の摺動に伴って摺動させてなる。」
と訂正する。
（２）訂正事項２
　明細書の明りょうでない記載の釈明を目的として、特許請求の範囲の記載と発明の詳細な説明との整合をとるため、明細書の段落番号０００４の「課題を解決するための手段」）を、
　「このような従来の３枚引き戸の連係構造における問題点を解決するために本発明は、建屋の開口部に装着した枠体内に左右の縦框と上下框とよりなる３枚の引き戸を重合状で摺動自在に納めてなる３枚引き戸の連係構造において、上記３枚の引き戸の左右の縦框のうちの全閉時に対向する縦框に相互に係合する係合片を形成してなり、上記３枚の引き戸のうちの中央以外の引き戸のいずれかを操作側の引き戸とし、この操作側の引き戸の左右の縦框のうちの係合片を形成しない縦框には、その見込方向に直交する側面に、指掛け部と連係部とを相互別体に形成して取付け、上記連係部はその一部に設けた框代用片を上記縦框に形成した切欠き部に配置することによって該縦框に取付けてなり、上記連係部を、上記指掛け部に対して高さの異なる位置に配置すると共に、上記指掛け部よりも中央側の引き戸寄りに突出させて該引き戸に当接自在とし、この中央側の引き戸を操作側の引き戸の摺動に伴って摺動させてなることを特徴として構成されている。」
と訂正する。
（３）訂正事項３
　明細書の誤記の訂正を目的として、明細書の段落番号００１２の一部の
　「・・・この連係部２０は図示から明らかなように指掛け部２とは別体に形成されており・・・」を
　「・・・この連係部２０は図示から明らかなように指掛け部２２とは別体に形成されており・・・」と訂正する。
（４）訂正事項４
　明細書の明瞭でない記載の釈明を目的として、明細書の段落番号００２３末行の後に、
　「しかも本発明は、指掛け部と連係部を各々縦框に個別に取付けるようにしてあるので、縦框の勝手変更が容易にでき、また上記連係部は、その一部に設けた框代用片を縦框に形成した切欠き部に配置することによって該縦框に取付けることから、切欠き部を形成した縦框の強度の維持が図られると共に、連係部の一部が縦框と一体となって体裁の向上が図られる効果がある。」
を加入する。
　
２．訂正請求の適否
（１）訂正事項１について
　訂正事項１は、特許請求の範囲の減縮を目的とするものであって、訂正前の願書に添付した明細書又は図面に記載した事項の範囲内であり、また、実質上特許請求の範囲を拡張し、又は変更するものでもない。
（２）訂正事項２について
　訂正事項２は、訂正事項１のように特許請求の範囲を訂正したことによって生じる明細書の記載の不都合を整えるものであるから、明りょうでない記載の釈明を目的とするものであって、訂正前の願書に添付した明細書又は図面に記載した事項の範囲内であり、また、実質上特許請求の範囲を拡張し、又は変更するものでもない。
（３）訂正事項３について
　訂正事項３は、明細書の明白な誤記を訂正するものであって、訂正前の願書に添付した明細書又は図面に記載した事項の範囲内であり、また、実質上特許請求の範囲を拡張し、又は変更するものでもない。
（４）訂正事項４について
　訂正事項４は、訂正事項１のように訂正された発明の効果を明確に記載したものであって、明りょうでない記載の釈明を目的とするものであって、訂正前の願書に添付した明細書又は図面に記載した事項の範囲内であり、また、実質上特許請求の範囲を拡張し、又は変更するものでもない。
（５）まとめ
　以上のとおりであるから、上記訂正事項１ないし４は、いずれも特許法等の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書及び同条第２項の規定に適合するので、当該訂正を認める。
　
第３　本件訂正発明
　
　上記のように訂正が認められることから、訂正後の特許請求の範囲の請求項１に記載された発明（以下、本件訂正発明という。）は次のとおりである。
　「【請求項１】 建屋の開口部に装着した枠体内に左右の縦框と上下框とよりなる３枚の引き戸を重合状で摺動自在に納めてなる下記要件を備えたことを特徴とする３枚引き戸の連係構造。
（イ）上記３枚の引き戸の左右の縦框のうちの全閉時に対向する縦框には、相互に係合する係合片を形成してなる。
（ロ）上記３枚の引き戸のうちの中央以外の引き戸のいずれかを操作側の引き戸とし、この操作側の引き戸の左右の縦框のうちの係合片を形成しない縦框には、その見込方向に直交する側面に、指掛け部と連係部とを相互別体に形成して取付け、上記連係部はその一部に設けた框代用片を上記縦框に形成した切欠き部に配置することによって該縦框に取付けてなる。
（ハ）上記連係部を、上記指掛け部に対して高さの異なる位置に配置すると共に、上記指掛け部よりも中央側の引き戸寄りに突出させて該引き戸に当接自在とし、この中央側の引き戸を操作側の引き戸の摺動に伴って摺動させてなる。」
　
第４　特許異議の申立てについて
　
１．特許異議申立人は、
（i）本件特許の出願前に頒布された刊行物である甲第１号証ないし甲第３号証を提出して、本件特許の（訂正前の）特許請求の範囲の請求項１及び２に係る発明（以下、本件発明１、２という）は、甲第１号証ないし甲第３号証に記載されたものから当業者が容易に発明できたものであるから特許法２９条第２項に該当する、
（ii）本件発明１、２は、出願時の明細書又は図面に記載されていない新規な事項を含むので、特許法第１７条の２第３項に規定する要件を満たさない、
（iii）本件特許の明細書においては、本件発明１、２が、当業者が容易に実施できる程度に明確かつ十分に記載されていないから、特許法第３６条第４項の要件を満たさず、また、特許請求の範囲記載では、特許を受けようとする発明の外延が不明確であるので、特許法第３６条第６項第２号の要件を満たさない
旨申し立てているので検討する。
　
２．特許法第１７条の２第３項についての申立てについて
　異議申立人は次のように主張する。
（i）本件発明１の構成要件（ロ）の「その見込方向に直交する側面に、指掛け部と連係部とを相互別体に形成」の「直交する」、「相互別体」という文言や、構成要件（ハ）の「上記連係部を、上記指掛け部に対して高さの異なる位置に配置する」は、出願時の明細書には記載されていない。
（ii）明細書の段落番号００１４に補正により加えられた「この連係部２０の押圧体３０は、図４から明らかなように、指掛け部２２に対して高さの異なる位置に配置されている。より具体的には、本実施形態においては指掛け部２２よりの上方位置に形成されており、中央側の引き戸６Ｂの上端近傍位置に当接自在とされている。」という記載については、出願時の明細書には記載されていない。
（iii）本件発明２の構成要件の「上記引き戸を、上記枠体を構成する上枠につり下げ支持されてなる吊り戸として形成し、上記操作側の引き戸の縦框の連係部を、上記中央側の引き戸の上端近傍位置に当接させる」の「上枠につり下げ支持」という文言は、出願時の明細書には記載されていない。
　したがって、いずれも特許法第１７条の２第３項に規定する要件を満たしていない。
　異議申立人の主張は、平成６年改正の特許法に基づくものと解されるが、本件特許の出願日は平成６年１１月８日であるから、異議申立人の特許法第１７条の２第３項についての主張は、平成６年改正前の特許法第１７条の２第２項で準用する特許法第１７条第２項に違反するとの趣旨と解され、審査時の１回目の拒絶理由通知に対する平成１１年６月１７日付けの手続補正書による補正が、特許法第１７条第２項の要件を満たさないことを主張するものと解される。
　そこで検討するに、異議申立人の指摘する文言そのものは出願時の明細書に記載されていないものの、当該構成はいずれも出願時の明細書又は図面に記載されており、出願時の明細書又は図面に記載された事項の範囲内であるから、平成１１年６月１７日付けの手続補正書による補正は、特許法第１７条第２項に規定する要件を満たしているものである。
　
３．特許法第３６条についての申立てについて
　異議申立人は次のように主張する。、
（i）本件発明１、２において、「引き戸の枠との連係構造が操作側と固定側とで（対称状）であること」の要件が欠如しているので、本件発明の明細書記載の「中央以外の２枚の引き戸を入換えることにより各引き戸相互の連係を維持しつつ左右の勝手が変更できる」という効果が達成できない、また
（ii）本件発明１の構成要件（ハ）の「連係部を、上記指掛け部に対して高さの異なる位置に配置すると共に、上記指掛け部よりも中央側の引き戸寄りに突出させ」たことによる作用効果が明細書には記載されていない。
　したがって、明細書の発明の詳細な説明には、本件発明を当業者が容易に実施できる程度に明確かつ十分に記載されていないから、特許法第３６条第４項の要件を満たしていない。
（iii）本件発明１、２では、「引き戸の枠との連係構造が操作側と固定側とで（対称状）ではないもの」を含むことになるが、その場合には本件発明の効果が達成されない。また、本件発明１、２は、特許を受けようとする発明の外延が不明確である。したがって、特許請求の範囲の記載は特許法第３６条第６項第２号の要件を満たしていない。
　異議申立人の主張は、特許法第３６条第４項の要件として「明確かつ十分に記載されていない」ことを挙げ、さらに特許法第３６条第６項第２号を挙げていることから、平成６年改正の特許法に基づくものと解されるが、本件特許の出願日は平成６年１１月８日であるから、明細書の記載に関しては、平成６年改正前の特許法が適用され、上記（i）ないし（iii）についての異議申立人の主張の趣旨は、（i）、（ii）については平成６年改正前の特許法第３６条第４項を、（iii）については同条第５項についての要件を満たさない趣旨と解される。
　そこで検討するに、上記「第２」に記載したように本件特許の明細書は適法に訂正され、特許請求の範囲や発明の効果の項等が訂正された。そして異議申立人の主張（i）、（ii）については、明細書においては、本件訂正発明の効果が記載されているといえる。
　また、異議申立人の主張（iii）については、発明の詳細な説明には、特許を受けようとする発明（本件訂正発明）が記載されているといえるから、特許法第３６条第５項の要件を満たしているといえる。
　
４．特許法第２９条第２項についての申立てについて
　上記「第２」に記載したように特許請求の範囲は適法に訂正され、特許異議申立人の申し立てに係る発明は、結果として異なるものとなった。
　そこで、訂正後の請求項１に係る発明（本件訂正発明）（上記「第３」参照）について検討する。
４−１　刊行物の記載事項の認定
　本件特許の出願前に頒布されたと認められる次の刊行物には、以下の技術的事項が記載されていると認められる。
（１）刊行物１：実願平１−１５２９５６号（実開平３−９０７８６号）のマイクロフィルム（特許異議申立人の提出した甲第１号証）
（ア）考案の名称「連動障子の構造」に関する考案が記載されており、
　明細書及び図面の記載から、
（イ）上枠部材４、下枠部材５、竪枠部材６、７よりなる枠体３内には、障子８が建て込まれており、この障子は、外障子Ａ１、中障子Ａ２、内障子Ａ３が順次配置されており、
（ウ）各障子は、上框９０、下框９１、左右一対の竪框９２、９３及び各框内の空間に嵌合配置されたガラス９６等より構成されており、
（エ）外障子Ａ１には把手１２が設けられており、遮断状態（第１図、第１２図（１））において、この把手１２を手でつかんで開く方向（Ｄ１の方向）に移動させると、第１２図（２）に示すように外障子Ａ１の移動に伴って中障子Ａ２の竪框９２に緩衝部材１１２が弾発的に当接し、外障子Ａ１と中障子Ａ２が連動して移動し、さらに移動させると、第１３図（１）に示すように開放状態となり、
（オ）一方、開放状態から、把手１２を手でつかんで閉じる方向（Ｄ２の方向）に移動させると、第１３図（２）に示すように外障子Ａ１の竪框に設けられた連動部材４６と、中障子Ａ２の竪框に設けられた連動部材４７とが当接して中障子Ａ２が連動して移動し、さらに閉じる方向に移動させると、中障子Ａ２の竪框に設けられた連動部材４８と、内障子Ａ３の竪框に設けられた連動部材４９とが当接するとともに、外障子Ａ１の竪框９２は竪枠部材６に当接して第１図、第１２図（１）に示すように閉扉動作が終了する、
ことが記載されていると認められる。
（２）刊行物２：実公平２−１５９７４号公報（特許異議申立人の提出した甲第２号証）
　考案の名称「引戸装置」に関する考案が記載されており、明細書及び図面の記載から、特に第１図、第２図を参酌すると、３枚からなる引戸のうち、外引戸３ａには、図面上左端部の中間の高さ位置に取っ手１０が設けられ、該外引戸の上下位置に設けられたガイド板４の左端部に第１の戸当たり部７が設けられ、さらに、該外引戸３ａの右端部の中引戸３ｂ側には上下に第２の戸当たり部９が設けられており、該外引戸３ａを右方向に移動させた場合には、第１の戸当たり部７が中引戸３ｂのガイド板５に当接して中引戸３ｂは外引戸３ｃと共に開かれることが記載されていると認められる。
（３）刊行物３：実公平２−４５４１８号公報（特許異議申立人の提出した甲第３号証）
　考案の名称「引違い窓における引戸の交差止め具」に関する考案が記載されており、考案の詳細な説明及び特に第１図ないし第８図を参酌すると、交差止め具Ｅが竪框Ｂの上端部近傍に設けられ、「この状態（第３図参照）で交差止め具Ｅは設置されたことになり、内引戸２０の竪框Ｃの戸当り面２７はストッパー７の戸当り部９に当接し、この竪框Ｃと外引戸１０の竪框Ｂとの間にクリアランスが設けられ、竪框Ｃと竪框Ｂとの間の指つめが防止されることとなる。」（４欄２８ないし３３行）と記載されている。
４−２　対比、判断
（１）刊行物１に記載されたものにおいて、枠体３と、上框９０、下框９１、左右一対の竪框９２、９３よりなる障子と、連動部材４８，４９と、把手１２及び緩衝部材１１２は、その機能に照らし、それぞれ本件訂正発明の、枠体と、左右の縦框と上下框とよりなる引き戸と、全閉時に対向する縦框に相互に係合する係合片と、指掛け部及び連係部に相当し、刊行物１に記載された障子は、３枚が連動するものであることから、本件訂正発明と刊行物１に記載されたものとは次の点で一致し、相違していると認められる。
〔一致点〕
　建屋の開口部に装着した枠体内に左右の縦框と上下框とよりなる３枚の引き戸を重合状で摺動自在に納めてなる下記要件を備えたことを特徴とする３枚引き戸の連係構造。
（イ）上記３枚の引き戸の左右の縦框のうちの全閉時に対向する縦框には、相互に係合する係合片を形成してなる。
（ロ）上記３枚の引き戸のうちの中央以外の引き戸のいずれかを操作側の引き戸とし、この操作側の引き戸の左右の縦框のうちの係合片を形成しない縦框には、その見込方向に直交する側面に、指掛け部と連係部とを形成してなる。
（ハ）上記連係部を、中央側の引き戸に当接自在とし、この中央側の引き戸を操作側の引き戸の摺動に伴って摺動させてなる。
〔相違点１〕
　本件訂正発明の指掛け部と連係部とは相互別体に形成し、該連係部は、指掛け部に対して高さの異なる位置に配置しているのに対し、刊行物１に記載された把手と緩衝部材は同じ高さ位置に設けられ、別体とはなっていない点、
〔相違点２〕
　本件訂正発明の連係部は、その一部に設けた框代用片を上記縦框に形成した切欠き部に配置することによって該縦框に取付けてなるのに対し、刊行物１に記載された連係部は框代用片を設けておらず縦框との取り付けも異なる点、
〔相違点３〕
　本件訂正発明の上記連係部は、上記指掛け部よりも中央側の引き戸寄りに突出させて該引き戸に当接自在としているのに対し、刊行物１に記載された緩衝部材は、把手よりも中央側の引き戸寄りに突出されていない点。
（２）上記相違点について検討する。
　相違点１については、刊行物２に記載されたものは、外引戸３ａの中間の高さ位置に取っ手１０が設けられ、該外引戸の上下位置に設けられたガイド板４の左端部に第１の戸当たり部７が設けられており、これら取っ手１０及び第１の戸当たり部７は本件訂正発明の指掛け部と連係部に相当するものであるから、刊行物１に記載されたものに刊行物２に記載された取っ手１０及び第１の戸当たり部７を適用して本件訂正発明の上記相違点１に係る構成とすることは、当業者が容易に想到できたことである。
　次に相違点３については、本件訂正発明において、上記相違点に係る構成としたことにより、連係部が先に中央側の引き戸に当接し、当接したのちは指掛け部と該引き戸の框の側面との間に間隔を設けるものであるが、指掛け部と引き戸の框の側面との間に間隔を設けることは、引き戸の技術分野において例を挙げるまでもなく周知の技術的事項にすぎず、上記相違点３に係る構成とすることは当業者が容易に想到できたことにすぎない。
　しかしながら、上記相違点２に係る構成については、異議申立人の提出した証拠である刊行物１ないし３には記載されておらず、また、当該相違点２に係る構成が引き戸において本件特許出願前に周知の技術的事項であったとも認められない。
　そして、本件訂正発明は、上記相違点２に係る構成としたことによって「切欠き部を形成した縦框の強度の維持が図られると共に、連係部の一部が縦框と一体となって体裁の向上が図られる」（明細書段落番号００２３）という作用効果を奏するものであるから、本件訂正発明は、異議申立人の提出した証拠である刊行物１ないし３に記載されたものから当業者が容易に発明できたものとすることはできず、特許法第２９条第２項に該当するものとすることはできない。
５．まとめ
　したがって、特許異議申立ての理由及び証拠によっては本件訂正発明についての特許を取り消すことはできない。
　また、他に本件訂正発明について拒絶の理由を発見しない。
　
第５　むすび
　
　以上のように、本件訂正発明についての特許は拒絶の査定をしなければならない特許出願に対してされたものとは認められない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１３年８月１６日（２００１．８．１６）
【訂正の要旨】
訂正の要旨
（１）訂正事項１
　特許請求の範囲の減縮を目的として、
　「【請求項１】　建屋の開口部に装着した枠体内に左右の縦框と上下框とよりなる３枚の引き戸を重合状で摺動自在に納めてなる下記要件を備えたことを特徴とする３枚引き戸の連係構造。
（イ）上記３枚の引き戸の左右の縦框のうちの全閉時に対向する縦框には、相互に係合する係合片を形成してなる。
（ロ）上記３枚の引き戸のうちの中央以外の引き戸のいずれかを操作側の引き戸とし、この操作側の引き戸の左右の縦框のうちの係合片を形成しない縦框には、その見込方向に直交する側面に、指掛け部と連係部とを相互別体に形成してなる。
（ハ）上記連係部を、上記指掛け部に対して高さの異なる位置に配置すると共に、上記指掛け部よりも中央側の引き戸寄りに突出させて該引き戸に当接自在とし、この中央側の引き戸を操作側の引き戸の摺動に伴って摺動させてなる。
　【請求項２】　上記引き戸を、上記枠体を構成する上枠につり下げ支持されてなる吊り戸として形成し、上記操作側の引き戸の縦框の連係部を、上記中央側の引き戸の上端近傍位置に当接させることを特徴とする請求項１記載の３枚引き戸の連係構造。」
を、
　「【請求項１】　建屋の開口部に装着した枠体内に左右の縦框と上下框とよりなる３枚の引き戸を重合状で摺動自在に納めてなる下記要件を備えたことを特徴とする３枚引き戸の連係構造。
（イ）上記３枚の引き戸の左右の縦框のうちの全閉時に対向する縦框には、相互に係合する係合片を形成してなる。
（ロ）上記３枚の引き戸のうちの中央以外の引き戸のいずれかを操作側の引き戸とし、この操作測の引き戸の左右の縦框のうちの係合片を形成しない縦框には、その見込方向に直交する側面に、指掛け部と連係部とを相互別体に形成して
取付け、上記連係部はその一部に設けた框代用片を上記縦框に形成した切欠き部に配置することによって該縦框に取付け
（ハ）上記連係部を、上記指掛け部に対して高さの異なる位置に配置すると共に、上記指掛け部よりも中央側の引き戸寄りに突出させて該引き戸に当接自在とし、この中央側の引き戸を操作側の引き戸の摺動に伴って摺動させてなる。」
と訂正する。
（２）訂正事項２
　明細書の明りょうでない記載の釈明を目的として、特許請求の範囲の記載と発明の詳細な説明との整合をとるため、明細書の段落番号０００４の「課題を解決するための手段」）を、
　「このような従来の３枚引き戸の連係構造における問題点を解決するために本発明は、建屋の開口部に装着した枠体内に左右の縦框と上下框とよりなる３枚の引き戸を重合状で摺動自在に納めてなる３枚引き戸の連係構造において、上記３枚の引き戸の左右の縦框のうちの全閉時に対向する縦框に相互に係合する係合片を形成してなり、上記３枚の引き戸のうちの中央以外の引き戸のいずれかを操作側の引き戸とし、この操作側の引き戸の左右の縦框のうちの係合片を形成しない縦框には、その見込方向に直交する側面に、指掛け部と連係部とを相互別体に形成して取付け、上記連係部はその一部に設けた框代用片を上記縦框に形成した切欠き部に配置することによって該縦框に取付けてなり、上記連係部を、上記指掛け部に対して高さの異なる位置に配置すると共に、上記指掛け部よりも中央側の引き戸寄りに突出させて該引き戸に当接自在とし、この中央側の引き戸を操作側の引き戸の摺動に伴って摺動させてなることを特徴として構成されている。」
と訂正する。
（３）訂正事項３
　明細書の誤記の訂正を目的として、明細書の段落番号００１２の一部の
　「・・・この連係部２０は図示から明らかなように指掛け部２とは別体に形成されており・・・」を
　「・・・この連係部２０は図示から明らかなように指掛け部
２２
（４）訂正事項４
　明細書の明瞭でない記載の釈明を目的として、明細書の段落番号００２３末行の後に、
「しかも本発明は、指掛け部と連係部を各々縦框に個別に取付けるようにしてあるので、縦框の勝手変更が容易にでき、また上記連係部は、その一部に設けた框代用片を縦框に形成した切欠き部に配置することによって該縦框に取付けることから、切欠き部を形成した縦框の強度の維持が図られると共に、連係部の一部が縦框と一体となって体裁の向上が図られる効果がある。」
を加入する。
（５４）【発明の名称】
３枚引き戸の連係構造
（５７）【特許請求の範囲】
　【請求項１】　建屋の開口部に装着した枠体内に左右の縦框と上下框とよりなる３枚の引き戸を重合状で摺動自在に納めてなる下記要件を備えたことを特徴とする３枚引き戸の連係構造。
（イ）上記３枚の引き戸の左右の縦框のうちの全閉時に対向する縦框には、相互に係合する係合片を形成してなる。
（ロ）上記３枚の引き戸のうちの中央以外の引き戸のいずれかを操作側の引き戸とし、この操作側の引き戸の左右の縦框のうちの係合片を形成しない縦框には、その見込方向に直交する側面に、指掛け部と連係部とを相互別体に形成して
取付け、上記連係部はその一部に設けた框代用片を上記縦框に形成した切欠き部に配置することによって該縦框に取付けてなる。
（ハ）上記連係部を、上記指掛け部に対して高さの異なる位置に配置すると共に、上記指掛け部よりも中央側の引き戸寄りに突出させて該引き戸に当接自在とし、この中央側の引き戸を操作側の引き戸の摺動に伴って摺動させてなる。
【発明の詳細な説明】
　【０００１】
　【産業上の利用分野】
　本発明は、建屋の開口部に装着した枠体内に３枚の引き戸を重合状で摺動自在に納めてなる３枚引き戸の連係構造に関する。
　【０００２】
　【従来の技術】
　一般に、３枚の引き戸を重合状で摺動自在に納める３枚引き戸にあっては、これら３枚の引き戸のうちの中央側の引き戸以外のいずれか一方を固定して固定側の引き戸とし、他方を摺動自在として操作側の引き戸としており、この操作側の引き戸と中央側の引き戸を連係させて、操作側の引き戸の摺動に伴って中央側の引き戸が摺動するようにしている。
　このような３枚引き戸においては設置される部屋の配置等の諸条件によって右勝手か左勝手かが決定されるが、従来このような３枚引き戸の連係構造は、左勝手用の３枚引き戸は浴室側の引き戸を操作側として左側に配置すると共に、脱衣室側の引き戸を右側に固定して構成されており、右勝手用の３枚の引き戸は左勝手用とは逆に浴室側の引き戸を右側に配置すると共に、脱衣室側の引き戸を左側に固定して構成されていた。
　【０００３】
　【発明が解決しようとする課題】
　しかしながら従来のこのような３枚引き戸の連係構造においては、左勝手用の３枚引き戸と右勝手用の３枚引き戸とで浴室側や脱衣室側の引き戸の配置を左右逆にしていたので、左勝手用と右勝手用とではこれら逆にする引き戸と中間側の引き戸との連係構造が異なり、左勝手用の３枚引き戸と右勝手用の３枚の引き戸とを異なる構造で形成する必要があるため、形成工程が非常に効率の悪いものとなるという問題があり、また多くの在庫を必要とするという問題があった。
　具体的には左勝手用の３枚引き戸においては操作側の引き戸は左側に配置されているため、この操作側の引き戸の右側部において中央側の引き戸との連係が行われるが、右勝手用の３枚引き戸においては操作側の引き戸は右側に配置されているため、この操作側の引き戸の左側部において中央側の引き戸との連係が行われるので、左勝手用と右勝手用とを異なる連係構造で形成する必要があった。
　【０００４】
　【課題を解決するための手段】
　このような従来の３枚引き戸の連係構造における問題点を解決するために本発明は、建屋の開口部に装着した枠体内に左右の縦框と上下框とよりなる３枚の引き戸を重合状で摺動自在に納めてなる３枚引き戸の連係構造において、上記３枚の引き戸の左右の縦框のうちの全閉時に対向する縦框に相互に係合する係合片を形成してなり、上記３枚の引き戸のうちの中央以外の引き戸のいずれかを操作側の引き戸とし、この操作側の引き戸の左右の縦框のうちの係合片を形成しない縦框には、その見込方向に直交する側面に、指掛け部と連係部とを相互別体に形成して取付け、上記連係部はその一部に設けた框代用片を上記縦框に形成した切欠き部に配置することによって該縦框に取付けてなり、上記連係部を、上記指掛け部に対して高さの異なる位置に配置すると共に、上記指掛け部よりも中央側の引き戸寄りに突出させて該引き戸に当接自在とし、この中央側の引き戸を操作側の引き戸の摺動に伴って摺動させてなることを特徴として構成されている。
　【０００５】
　【実施例】
　以下、本発明の一実施例について図面を参照して詳細に説明する。図１は本実施例の縦断面図、図２は全閉時における横断面図、図３は全開時における横断面図である。
　これら各図において本実施例は、建屋の開口部Ｃに装着した枠体１内に左右の縦框１３、１４と上下框１５、１６とよりなる３枚の引き戸６，６を重合状で摺動自在に納めてなる。
　【０００６】
　上記開口部Ｃは上記浴室Ａと脱衣室Ｂとの境界壁に開設した略方形状の空間部であり、この開口部Ｃの内周面に左右の縦枠２，３と上下枠４，５とが固定され、全体として上記枠体１の装着がなされている。
　この枠体１内に納められる上記複数の引き戸６，６の各々は、上記左右の縦框１３，１４と上下框１５，１６とよりなる戸枠内にアクリル等の透光部材よりな透光体３２を納めてなるものである。
　なお上記枠体１、引き戸６の各框は、アルミニウムの押出し型材により成形される。
　【０００７】
　上記３枚の引き戸６，６の左右の縦框１３、１４のうちの全閉時に対向する縦框１３、１４に相互に係合する係合片２１を形成してなる。
　すなわち図２に示すように、各引き戸６を開口部Ｃを閉鎖するように配置した場合に各引き戸６の左右の縦框１３、１４が見込方向に重合して対向することとなるが、このような対向する左右の縦框１３、１４に係合片２１が形成されている。
　具体的には浴室Ａ側の引き戸６Ａの右の縦框１４Ａの内側面には、その縦方向の略全長に渡り、横断面形状をＬ字状とする係合片２１Ａが形成され、一方、上記中央側の引き戸６Ｂの左の縦框１３Ｂの上記係合片２１Ａ側の内側面には上記係合片２１Ａと略対象形状の係合片２１Ｂが形成されており、図２に示す全閉状態においては、係合片２１Ａと係合片２１Ｂとが係脱自在に係合している。
　また上記中央側の引き戸６Ｂの右の縦框１４Ｂの内側面にも係合片２１Ｂが突設され、脱衣室Ｂ側の引き戸６Ｃの左の縦框１３Ｃの係合片２１Ｂ側の内側面にも係合片２１Ｃが突設されている。
　【０００８】
　このように上記係合片２１Ａ、２１Ｂ、２１Ｃを形成することによって、各引き戸６を閉じる場合に、各引き戸６相互の連係がなされる。
　例えば浴室Ａ側の引き戸６Ａを摺動操作の操作対象となる操作側の引き戸６Ａとし、脱衣室Ｂ側の引き戸６Ｃを固定して固定側の引き戸６Ｃとして、図３に示す全開状態から操作側の引き戸６Ａを摺動させた時には、係合片２１Ａが係合片２１Ｂに係合することによって、中央側の引き戸６Ｂも摺動し、この中央側の引き戸６Ｂ自体を特に操作しなくても容易に摺動させることができる。
　また中央側の引き戸６Ｂが図２に示す全閉位置まで移動した場合に、上記係合片２１Ｂと係合片２１Ｃが係合することにより、中央側の引き戸６Ｂが惰性で余計に移動しないようにされている。
　【０００９】
　ここで、いずれの引き戸６を固定側とし、あるいは操作側とするかは脱衣室Ｂに配置される出入口（図示は省略）との位置関係等を考慮して任意に定められるものであり（ただし中央側の引き戸６Ｂは操作側や固定側とはされない）、上記とは逆に浴室Ａ側の引き戸６Ａを固定側とし、脱衣室Ｂ側の引き戸６Ｃを操作側とすることも考えられるが、このような場合においても、上記のように係止片２１を形成したことにより各引き戸６相互の連係が同様になされる。
　なお本実施例においては、各係合片２１を縦框１３、１４の縦の全長に渡って設けることにより、この係合片２１に十分な強度を持たせると共に、浴室Ａ側の湿気が脱衣室Ｂ側に流入しないようにしたが、強度さえ維持できれば全長に渡って設ける必要はない。
　【００１０】
　上記操作側の引き戸６には、図２・３に示すように、その左の縦框の１３Ａの見込方向（内外方向）に直交する両側面に指掛け部２２が設けられて摺動操作自在とされている。
　なお指掛け部２２は、本実施例においては左の縦框の１３Ａに突設した取手にて形成しているが、左の縦框の１３Ａを切欠いて凹部として形成してもよく、指を掛けて操作側の引き戸６Ａを摺動させ得るものであれば同様である。
　【００１１】
　一方、固定側の引き戸６はその一端面を上記右の縦枠３に当接させると共に、他端面を上下の固定具４３、４４に当接させることにより固定されている。
　ここで上の固定具４３とは、図７に示すように、上枠４に取付けられるＬ字状の部材で、その上片４３ａを上記上枠４にネジ止めされると共に、下片４３ｂを固定側の引き戸６Ｃの左の縦框１３の溝内に挿通かつネジ止めされている。
　また下の固定具４４とは、図８・９に示すように、上記下枠５の下枠カバー１２に取付けられる部材で、その中間片４４ｂを上記下枠カバー１２に載置されると共に、その上片４４ａを固定側の引き戸６Ｃの左の縦框１３に当接されており、さらに上記中間片４４ｂに対してその中央より若干偏心させて垂設した下片４４ｃを上記下枠カバー１２の案内溝１９に納めると共に、中間片４４ｂを貫通するネジによりネジ止めるされている。このネジは上記下片４４ｃと案内溝１９との間にネジ込まれるもので、これにより下片４４ｃと案内溝１９の側面部が若干ネジ切られている。
　【００１２】
　これまで説明したように、係合片２１によって、図３に示す全開状態から操作側の引き戸６Ａを摺動させることにより中央側の引き戸６Ｂをも摺動させて図２に示す全閉状態とすることができたが、この逆の全閉状態から全開状態とするための連係構造について説明する。
　図２〜４に示すように、操作側の引き戸６Ａの左右の縦框１３Ａ、１４Ａのうちの係合片２１Ａを形成しない縦框１３Ａには、見込方向（内外方向）に直交する両側面のうち引き戸６Ｂ寄りの側面に、連係部２０が形成されている。この連係部２０は図示から明らかなように
指掛け部２２
　上記連係部２０は、図２・３に示すように、操作側の引き戸６Ａの指掛け部２２を設けた縦框１３Ａの内側面に突設した押圧体３０にて形成されており、該押圧体３０は中央側の引き戸６Ｂの縦框１３Ｂの端面に当接自在とされている。
　【００１３】
　この押圧体３０は、図２〜５に示すように、上記縦框１３Ａと略同一幅を有するブロック状の部材で、横断面形状を略三角状とした押圧本体３０ａを有し、この一面に設けられた係止用突片（図示は省略）を上記縦框１３の内側面に設けられた係止孔１３ｂに係止させると共に、一端に突設された固定部３０ｂを上記縦框１３に設けられた切欠き部１３ａを介して上記縦框１３の一端面に当接させネジ止めされて、上記縦框１３に固定されている。
　また押圧体３０は一端に框代用片３０ｃを設けられており、この押圧体３０が上記縦框１３に固定された状態において、框代用片３０ｃが縦框１３の切欠き部１３ａに配置されると共に、その上下に位置する縦框１３の端片と略面一状となるようにされ、縦框１３の端部の強度の維持や体裁の向上等が図られている。
　なお押圧体３０は上記縦框１３と略同一幅として形成してなくともよく、この縦框１３に取付けられた状態において、上記指掛け部２２より中央側の引き戸６Ｂ側に突出し得るものであれば効果は同様である。
　【００１４】
　この押圧体３０は、図３に示すように、その押圧本体３０ａの端面が上記指掛け部２２よりも中間側の引き戸６Ｂの方に位置するように、かつその端面が見込方向に突出して中間側の引き戸６Ｂの左の縦框１３に当接自在となるようにされており、図２に示すような全閉状態から操作側の引き戸６Ａを摺動させた時に、上記指掛け部２２を中央側の引き戸６Ｂより出入口Ｄ側に位置させつつ、中央側の引き戸６Ｂを操作側の引き戸６Ａの摺動に伴って摺動させることができる。
　この連係部２０の押圧体３０は、図４から明らかなように、指掛け部２２に対して高さの異なる位置に配置されている。より具体的には、本実施形態においては指掛け部２２よりも上方位置に形成されており、中央側の引き戸６Ｂの上端近傍位置に当接自在とされている。
　なお本実施例においては、連係部２０を上記のようなブロック状の押圧体３０にて形成したが、単に縦框１３Ａの内側面に突設した突出片にて形成してもよく、すなわち中央側の引き戸６Ｂに当接自在とし、この中央側の引き戸６Ｂを操作側の引き戸６Ａの摺動に伴って摺動させるものであれば同様の効果を奏する。
　【００１５】
　これまで説明したように、上記３枚の引き戸６，６の左右の縦框１３、１４のうちの全閉時に対向する縦框１３、１４に相互に係合する係合片２１を形成してなり、上記３枚の引き戸６，６のうち中央以外の引き戸６，６のいずれかを操作側の引き戸６Ａとし、この操作側の引き戸６Ａの左右の縦框１３、１４のうちの係合片２１を形成しない縦框１３、１４に連係部２０を形成してなり、上記連係部２０を中央側の引き戸６Ｂに当接自在とし、この中央側の引き戸６Ｂを操作側の引き戸６Ａの摺動に伴って摺動させてなるので、中央以外の２枚の引き戸６，６を入換えることにより各引き戸６相互の連係を維持しつつ左右の勝手が変更でき、仕様を統一できて形成工程や在庫管理の効率化が図れる。
　例えば図２・３のような配置において、操作側の引き戸６Ａと固定側の引き戸６Ｃを取外し、操作側の引き戸６Ａを反転させて脱衣室Ｂ側に取付けると共に、固定側の引き戸６Ｃを反転させて浴室Ａ側に取付けた場合には、やはり各係止片２１が相互に係脱自在となり、また操作側の引き戸６Ａの連係部２０が操作側の引き戸６Ａの摺動に伴って中央側の引き戸６Ｂに当接自在とされ、この中央側の引き戸６Ｂを連係摺動させてなり、各引き戸６相互の連係を維持しつつ左右の勝手が変更される。
　【００１６】
　なお本実施例においては操作側の引き戸６Ａと固定側の引き戸６Ｃとを入換える例を示したが、戸全体ではなく縦框１３、１４だけを入換えるようにしても同様の効果を奏する。
　すなわち操作側の引き戸６Ａの左の縦框１３Ａと固定側の引き戸６の縦框１４Ｃとをそれぞれ取外し自在とすると共に、互いに交換自在として、勝手変更を行うようにしても、上記と同様に各引き戸６相互の連係を維持しつつ左右の勝手が変更される。
　【００１７】
　またいずれかの引き戸６に通気パネル（図示は省略）を設けるような場合において、この通気パネルに通気の方向が定められている場合（例えば通気パネルの見込方向の両側面のうち、一方の側面は常に浴室Ａ側に面していなければならず、他方の側面は常に脱衣室Ｂ側に面していなければならないような場合）においては、単に操作側の引き戸６Ａと固定側の引き戸６Ｃとを反転させて入換えただけでは通気パネルの通気の方向が逆向きとなってしまうため、上記のように操作側の引き戸６Ａの左の縦框１３Ａと固定側の引き戸６Ｃの縦框１４Ｃだけを入換え自在とする必要がある。
　また図３に示すような全ての引き戸６，６をいずれか片方に寄せてできる出入口Ｄの長手方向の幅が勝手を変更しても同じになるようにしたい場合等には、操作側の引き戸６Ａと固定側の引き戸６Ｃとの長手方向の幅を同じとする必要があり、あるいは縦框１３、１４だけを入換えて勝手変更するものであればこれら框の長手方向の幅を同じとする必要がある。
　【００１８】
　次に各引き戸６と枠体１の上枠４との連係構造について説明する。
　各引き戸６の上框１５には，図１・６に示すように、複数の引き戸車２４，２４が設けられており、これら引き戸車２４，２４が上記枠体１の上枠４に設けた案内レール１０に納められることにより、各引き戸６が支持されている。
　上記案内レール１０は上記上枠４の略全長に渡って形成されるもので、この上枠４の下面に垂設した垂下片３４と該垂下片３４の一側面に突設した上下の水平片３５，３６とからなり、これら上下の水平片３５，３６の間に上記吊り戸６の各吊り戸車２４が納められている。
　【００１９】
　上記上下の水平片３５，３６のうちの下水平片３６の先端には立上り片３８が設けられており、この立上り片３８の高さより上水平片３５と上枠４との距離のほうが長くされて、上記吊り戸車２４を案内レール１０に納める時に、この吊り戸車２４が上枠４に突き当たることなく立上り片３８を乗り越え得るようにされている。
　また上記上水平片３５には、上記吊り戸車２４の数に対応して２つの切り欠き部３７，３７が開設されており、各切欠き部３７を介して各吊り戸車２４が挿通自在となるようにされている。
　【００２０】
　このように上記操作側の吊り戸６Ａにおける上枠４との連係構造と、上記固定側の吊り戸６Ｃにおける上枠４との連係構造は、見込方向に対して対象状とされており、これら操作側の吊り戸６Ａと上記固定側の吊り戸６Ｃとの入換えが可能とされている。
　なお、このように各吊り戸６の吊り戸車２４が切欠き部３７を介して案内レール１０に収納自在とされているので、枠体１を開口部Ｃに装着した後でも各引き戸５は容易に取外しできる。
　【００２１】
　次に各引き戸６と枠体１の下枠５との連係構造について説明する。
　上記枠体１の下枠５の上面には、図１に示すように、長手方向に連続する凹部１１が形成されており、この凹部１１には、下枠カバー１２が取外し自在に納められている。
　この下枠カバー１２は上記凹部１１と略同一の幅及び長さを有して該凹部１１の略全面を覆うもので、その長手方向に沿って複数の案内溝１９，１９が並設されており、該各案内溝１９の内部空間に上記引き戸６の下框１６に垂設されたガイド片２５が非接触状に納められている。
　【００２２】
　このように上記操作側の吊り戸６Ａにおける下枠５との連係構造と、上記固定側の吊り戸６Ｃにおける下枠５との連係構造とは、見込方向に対して対象状とされており、これら操作側の吊り戸６Ａと上記固定側の吊り戸６Ｃとの入換えが可能とされている。
　なお、このように下枠カバー１２に複数の案内溝１９，１９を並設して上記引き戸６の下端部を納めてなるので、この下端部が案内溝１９に納まることにより引き戸６自体を上記下枠５よりはみ出すことのないようにでき、引き戸６の安定的な摺動動作を維持できる。また浴室Ａの湿気が脱衣室Ｂに侵入するのを防ぐことができる。
　【００２３】
　【発明の効果】
　上記したように本発明は、３枚の引き戸の左右の縦框のうちの全閉時に対向する縦框に相互に係合する係合片を形成してなり、上記３枚の引き戸のうちの中央以外の引き戸のいずれかを操作側の引き戸とし、この操作側の引き戸の左右の縦框のうちの係合片を形成しない縦框に連係部を形成してなり、上記連係部を中央側の引き戸に当接自在とし、この中央側の引き戸を操作側の引き戸の摺動に伴って摺動させてなるので、中央以外の２枚の引き戸を入換えることにより各引き戸相互の連係を維持しつつ左右の勝手が変更でき、仕様を統一できて形成工程や在庫管理の効率化が図れるという効果がある。
　
しかも本発明は、指掛け部と連係部を各々縦框に個別に取付けるようにしてあるので、縦框の勝手変更が容易にでき、また上記連係部は、その一部に設けた框代用片を縦框に形成した切欠き部に配置することによって該縦框に取付けることから、切欠き部を形成した縦框の強度の維持が図られると共に、連係部の一部が縦框と一体となって体裁の向上が図られる効果がある。
【図面の簡単な説明】
　【図１】
　本発明の一実施例における縦断面図である。
　【図２】
　引き戸全閉状態における横断面図である。
　【図３】
　引き戸全開状態における横断面図である。
　【図４】
　図３の要部斜視図である。
　【図５】
　図４の要部分解斜視図である。
　【図６】
　引き戸上部の斜視図である。
　【図７】
　固定側の引き戸の上部の斜視図である。
　【図８】
　固定側の引き戸の下部の斜視図である。
　【図９】
　図８の要部の縦断面図である。
　【符号の説明】
　　Ａ　浴室
　　Ｂ　脱衣室
　　Ｃ　開口部
　　Ｄ　出入口
　　１　枠体
　　２、３　左右の縦枠
　　４、５　上下の枠
　　６　引き戸
　１０　案内レール
　１２　下枠カバー
　１３　左の縦框
　１３ａ　係止孔
　１３ｂ　切欠部
　１４　右の縦框
　１５、１６　上下の框
　１９　案内溝
　２０　連係部
　２１　係合片
　２２　指掛け部
　２４　引き戸車
　３０　押圧体
　３０ａ　押圧本体
　３０ｂ　固定部
　３０ｃ　框代用片
　３２　透光体
　３３　支持片
　３４　垂下片
　３５、３６　上下の水平片
　３７　切欠き部
　３８　立上げ片
　４３　上の固定具
　４３ａ　上片
　４３ｂ　下片
　４４　下の固定具
　４４ａ　上片
　４４ｂ　中間片
　４４ｃ　下片